(57)【特許請求の範囲】
【請求項１】
同じ撮影対象を撮影時を異にして撮影した第１の眼科画像と第２の眼科画像を記憶する記憶手段と、
前記第１の眼科画像と前記第２の眼科画像の位置合わせを行うため補正値を得る算出手段と、
前記補正値を用いて、前記第２の眼科画像のディスクラインの描画情報及び前記第２の眼科画像のカップラインの描画情報と、前記第１の眼科画像との位置合わせを行う位置合わせ手段と、
前記第１の眼科画像上に、前記第１の眼科画像との位置合わせが行われた前記第２の眼科画像のディスクラインの描画情報及び前記第２の眼科画像のカップラインの描画情報を描画して表示する表示手段と、
前記表示手段により表示された、前記第２の眼科画像のディスクラインの描画情報及び第２の眼科画像のカップラインの描画情報が重畳された前記第１の眼科画像が表示された画面への、前記第１の眼科画像のディスクライン及び第１の眼科画像のカップラインの指定入力を受け付ける受付手段と
を備えたことを特徴とする眼科情報処理システム。
【請求項２】
眼科画像から乳頭領域を抽出する乳頭抽出手段を更に備え、
前記抽出手段により抽出した乳頭領域を用い、前記位置合わせ手段による位置合わせを行うことを特徴とする請求項１に記載の眼科情報処理システム。
【請求項３】
前記眼科情報処理システムは、視神経乳頭の中心が最も良く位置が合うように前記位置合わせ手段による位置合わせを行うことを特徴とする請求項２に記載の眼科情報処理システム。
【請求項４】
前記表示手段は、前記受付手段が指定入力を受け付けた前記第１の眼科画像のディスクラインの描画情報及び前記第１の眼科画像のカップラインの描画情報を、前記第２の眼科画像のディスクラインの描画情報及び前記第２の眼科画像のカップラインと区別可能な異なる表示態様で表示することを特徴とする請求項１に記載の眼科情報処理システム。
【請求項５】
前記表示手段は、ユーザにより前記第１の眼科画像上の位置が指定された場合に、指定された位置に対応する前記第２の眼科画像上の位置を含む領域の前記第２の眼科画像を表示することを特徴とする請求項１に記載の眼科情報処理システム。
【請求項６】
前記表示手段は、ユーザにより指定された位置と、前記第１の眼科画像上の前記ディスクライン又は前記カップラインとの間の距離が大きくなる程、小さい表示倍率で前記第２の眼科画像を表示することを特徴とする請求項５に記載の眼科情報処理システム。
【請求項７】
記憶手段に記憶された、同じ撮影対象を撮影時を異にして撮影した第１の眼科画像と第２の眼科画像との位置合わせを行うため補正値を得る算出工程と、
前記補正値を用いて、前記第２の眼科画像のディスクラインの描画情報及び前記第２の眼科画像のカップラインの描画情報と、前記第１の眼科画像との位置合わせを行う位置合わせ工程と、
前記第１の眼科画像上に、前記第１の眼科画像との位置合わせが行われた前記第２の眼科画像のディスクラインの描画情報及び前記第２の眼科画像のカップラインの描画情報を描画して表示する表示工程と、
前記表示工程において表示された、前記第２の眼科画像のディスクラインの描画情報及び第２の眼科画像のカップラインの描画情報が重畳された前記第１の眼科画像が表示された画面への、前記第１の眼科画像のディスクライン及び第１の眼科画像のカップラインの指定入力を受け付ける受付工程と
を含むことを特徴とする眼科情報処理方法。
【請求項８】
請求項７に記載の方法の各工程をコンピュータに実行させるためのプログラム。
【発明の詳細な説明】
【技術分野】
【０００１】
本発明は、眼底画像から視神経乳頭部の検出解析を行う技術に関するものである。
【背景技術】
【０００２】
視機能障害の一つに緑内障がある。緑内障の検査では診断する指標として、視神経乳頭の陥没状態を反映するＣ／Ｄ比が従来から広く用いられている。眼底画像を用いて求めるＣ／Ｄ比は、視神経乳頭部（以下、乳頭）のディスクと呼ばれる乳頭外縁(Ｄ)とカップと呼ばれる乳頭凹の外縁(Ｃ)から、それぞれの径の比や面積比で定義されている。なお、垂直方向における直径比を垂直Ｃ／Ｄ比と呼び、水平方向における直径比を水平Ｃ／Ｄ比と呼ぶことがある。特にカップの上下方向への変化が多いため、垂直方向のＣ／Ｄ比を指標として用いられることが多い。
【０００３】
また、近年ではＲ／Ｄ比も緑内障診断に用いられるようになってきている。Ｒ／Ｄ比は、乳頭外縁と乳頭凹の外縁に挟まれたリム領域の幅(Ｒ)と、この幅の計測位置及び乳頭中心を通る乳頭外縁径との比として定義される。近年、眼底画像を解析してＣ／Ｄ比やＲ／Ｄ比を求める様々な手法が開発されている（特許文献１、２参照）。さらに、これらＣ／Ｄ比やＲ／Ｄ比を求めるために眼底画像上に描画したディスクライン、カップライン、リムラインの描画情報を眼底画像のアノテーション情報として記録しておき、経過観察時に過去の描画情報との差分を視覚的に表示する手法も開発されている（特許文献３参照）。また、眼科分野では、眼科画像を参照して医師などの所見を入力するためのシステムも利用されている（特許文献４参照）。
【先行技術文献】
【特許文献】
【０００４】
【特許文献１】特開２００６−２８０４１１号公報
【特許文献２】特開２００８−１５４９５１号公報
【特許文献３】特開２００９−２２５０６号公報
【特許文献４】特開２００９−１０６５３２号公報
【発明の概要】
【発明が解決しようとする課題】
【０００５】
しかしながら、眼底画像上に描画されるディスクラインやカップラインなどの描画解析は、通常オペレータ（例えば、医師）によって操作されるため、正確なラインを描画するには十分な経験が必要である。特に経過観察では、変化がない箇所に対しては毎回同じ位置にライン描画されていなければ測定誤差が生じ、正確なＣ／Ｄ比の経過観察にならない。また、眼底画像より乳頭を自動抽出し、ディスクライン、カップラインを描画するシステムも存在するが、正確なラインまで認識することが困難であり、オペレータが描画されたラインを修正することが多いため、オペレータの経験が必要である。
【０００６】
本発明の目的は、上記の課題を解決し、Ｃ／Ｄ比の変化の経過観察を行う際に、前回の描画と同じ位置に描画が行えるようにオペレータの作業を支援し、経過観察時のＣ／Ｄ比変化量の誤差を減らすことのできる眼科情報処理システム及びプログラムを提供することである。
【課題を解決するための手段】
【０００７】
本発明の眼科情報処理システムは、同じ撮影対象を撮影時を異にして撮影した第１の眼科画像と第２の眼科画像を記憶する記憶手段と、前記第１の眼科画像と前記第２の眼科画像の位置合わせを行うため補正値を得る算出手段と、前記補正値を用いて、前記第２の眼科画像のディスクラインの描画情報及び前記第２の眼科画像のカップラインの描画情報と、前記第１の眼科画像との位置合わせを行う位置合わせ手段と、前記第１の眼科画像上に、前記第１の眼科画像との位置合わせが行われた前記第２の眼科画像のディスクラインの描画情報及び前記第２の眼科画像のカップラインの描画情報を描画して表示する表示手段と、前記表示手段により表示された、前記第２の眼科画像のディスクラインの描画情報及び第２の眼科画像のカップラインの描画情報が重畳された前記第１の眼科画像が表示された画面への、前記第１の眼科画像のディスクライン及び第１の眼科画像のカップラインの指定入力を受け付ける受付手段とを備えたことを特徴とする。
【発明の効果】
【０００８】
本発明によれば、経過観察時における眼科画像に描画するＣ／Ｄ比のライン情報が毎回同じ位置にあるか否かを確認しながら描画することで、経過観察時の測定誤差を減らすことが可能である。
【図面の簡単な説明】
【０００９】
【図１】本発明の実施形態に係る眼科情報処理システムの機能的構成を示す図である。
【図２】本発明の実施形態に係る眼科情報処理システムのハードウェア構成を示す図である。
【図３】本発明の実施形態に係る眼科情報処理システムの処理を示すフローチャート図である。
【図４】選択画像のデータを示す図である。
【図５】データベース上にあるデータを検索した結果のデータを示す図である。
【図６】Ｃ／Ｄ比描画を行う画面を示す図である。
【図７】Ｃ／Ｄ比描画を行う画面を示す図である。
【図８】Ｃ／Ｄ比描画を行う画面を示す図である。
【図９】Ｃ／Ｄ比描画を行う画面を示す図である。
【図１０】Ｃ／Ｄ比描画を行う画面を示す図である。
【図１１】Ｃ／Ｄ比描画の比較画面を示す図である。
【発明を実施するための形態】
【００１０】
以下、本発明を適用した好適な実施形態を、添付図面を参照しながら詳細に説明する。
【００１１】
図１は、本発明の実施形態に係る眼科情報処理システムの機能的構成を示す図である。本実施形態に係る眼科情報処理システムは、オペレータが使用するコンピュータを含んで構成される。このコンピュータは、例えば、ＬＡＮ（Local  Area  Network）等の通信回線を介して、眼科画像や患者情報などを保管管理するデータベースに接続されている。なお、眼科情報処理システムは、コンピュータ単体で構成されてもよいし、眼科画像等は、外部の記憶装置、例えばＣＤ（Compact  Disc）に保管されている構成でもよい。また、眼科情報処理システムは、通信回線を介して、眼科撮影装置に接続されてもよい。眼科撮影装置の例として、眼底カメラ、ＯＣＴ（Optical  Coherence  Tomography）、ＳＬＯ（Scanning  Laser  Ophthalmoscope）等がある。
【００１２】
眼科情報処理システムには、図１に示すように、操作部１、表示部２、制御部３、記憶部４、Ｃ／Ｄ比入力部１３、位置合わせ部１０、データ入力部９、変化量算出部（不図示）、が設けられている。まず、記憶部４について説明する。記憶部４には、眼科画像５、描画情報６、識別情報７が記憶される。眼科画像５は、上記の眼科撮影装置により取得された撮影対象（被検眼）の画像である。例としては、眼底カメラにより撮影された眼底画像、ＯＣＴにより撮影された眼底の断層画像、ＳＬＯにより撮影された網膜や脈絡膜の画像等がある。眼科画像５には、被検眼の部位や、撮影日時、撮影条件等の付帯情報が付加されて記憶される。被検眼の部位には、左右眼情報や、乳頭、黄班等の情報が含まれる。また、撮影条件には、撮影画角、結像倍率、照明光の明るさ、固視灯の位置等の情報が含まれる。描画情報６は、Ｃ／Ｄ比入力部１３により作成されるＣ／Ｄ比情報であり、制御部３によって記憶部４に記憶される。
【００１３】
識別情報７は、各被検眼を識別するための情報である。例えば患者名や患者ＩＤ等の患者識別情報と個々の眼科画像を関連付けたものや、個々の眼科画像と個々の描画情報とを関連付けたものである。これにより、どの患者のどの部位に対する眼科画像であるか、また、その眼科画像のＣ／Ｄ比描画情報であるかを識別することが可能になる。関連付けの処理は制御部３により実行される。
【００１４】
操作部１は、オペレータが眼科情報処理システムを操作するときや、Ｃ／Ｄ比情報を入力するときに使用される。操作部１は、オペレータによる操作を受けると、その操作内容に応じて操作信号を生成し、操作信号を制御部３に入力する。操作部１は、キーボード、マウス、トラックボール、タッチパネルなど、任意の操作デバイス、入力デバイスを含んで構成される。
【００１５】
表示部２は、制御部３に従って画面やデータを表示する。表示部２は、ＬＣＤ（Liquid Crystal  Display）や、ＣＲＴ（Cathode Ray Tube）ディスプレイ等、任意の表示デバイスから構成される。なお、操作部１で記載したタッチパネル等の操作部と表示部とを一体化したデバイスを使用することも可能である。この場合は、図１で示す操作部と表示部を一体化した構成になる。
【００１６】
制御部３は、眼科情報処理システムの各部を制御する。制御に関しては後述する。Ｃ／Ｄ比入力部１３は、Ｃ／Ｄ比の情報を入力するときに動作する。Ｃ／Ｄ比の情報とは、ディスク外周のライン（ディスクライン）とカップ外周のライン（カップライン）の位置情報である。Ｃ／Ｄ比を入力するには、眼科画像を表示部２に表示し、操作部１の操作によって行い、眼科画像のどの位置にＣ／Ｄ比の情報が入力されたかを処理し、結果を記憶する。Ｃ／Ｄ比情報のディスクラインとカップラインの決定は、オペレータがディスクラインを指定して入力する方法と、眼科画像の乳頭を自動で抽出してさらに、ディスクライン、カップラインを抽出して描画する方法がある。
【００１７】
位置合わせ部１０は、眼科画像と位置合わせしたい眼科画像とで位置合わせ処理した位置合わせ情報を補正値として算出し、この位置合わせ情報を基にＣ／Ｄ比情報の位置を合わせる処理を行う。変化量算出部は、Ｃ／Ｄ比の変化量を算出する。例えば、記憶部４の描画情報６に記憶されているＣ／Ｄ比情報とＣ／Ｄ比情報との差分量を算出する。あるいは、Ｃ／Ｄ比情報とある点との最短距離を算出する。
【００１８】
図２は、眼科情報処理システムのハードウェア構成の例を示している。眼科情報処理システムは、コンピュータ２０を含んで構成される。データベース３０は、眼科画像や患者情報等を保管管理するサーバなどを含んで構成される。コンピュータ２０は、ＬＡＮなどの通信回線を介してデータベース３０に接続される。
【００１９】
オペレータは、眼科画像の閲覧の要求をコンピュータ２０に入力する。この要求は、例えば患者名や患者ＩＤの患者識別情報を入力または選択し、所定の操作（キーボードの入力キー、マウスのクリック等）をすることによって行う。コンピュータ２０は、入力された要求をデータベース３０に送信する。データベース３０は、この要求に基づいて眼科画像を検索して、コンピュータ２０に送信する。コンピュータ２０はこの検索結果を表示する。
【００２０】
コンピュータ２０は、例えば、図１の操作部１、表示部２、制御部３、Ｃ／Ｄ比入力部１３、位置合わせ部１０、変化量算出部として機能する。データベース３０は、記憶部４として機能する。コンピュータ２０は、一般的なコンピュータの構成と同様に、演算処理としてのＣＰＵ２１、主記憶装置として機能するＲＡＭ２２、外部記憶装置として機能するＲＯＭ２３、外部記憶装置としてのＨＤＤ（ハードディスクドライブ）２４を含み、ディスプレイ２６、キーボード２７、マウス２８、通信Ｉ／Ｆ２９を含んで構成される。コンピュータ２０は、ＨＤＤ２４に格納されたプログラム２５をＲＡＭ２２上に展開することにより、この実施形態の動作を実行させる。
【００２１】
図３は、本実施形態におけるＣ／Ｄ比描画のフローチャートを示している。このフローチャートでは、実施形態として眼科画像５を眼底カメラで撮影された眼底画像、表示部２の表示デバイスをディスプレイ、操作部１にマウス、キーボードを例に挙げながら説明する。
【００２２】
まずステップＳ１で、オペレータは、マウスを操作してＣ／Ｄ比を描画する眼底画像を指定する。この操作は、例えば、眼底画像のサムネイル画像表示から画像をクリックし、画像を選択して実行する。選択実行されると、制御部３は選択画像の情報を読込み、画像に関連付けられている患者情報を読み込む。この読み込んだ選択画像のデータと関連付けられた患者情報を含んでデータをデータ１（第一眼科検査データ９Ａ）とする。データ例を図４に示す。患者情報から患者ＩＤ、選択画像の情報から、検査ＵＩＤ、左右眼、部位、画像ＵＩＤ、撮影日、撮影時刻、Ｃ／Ｄ比データＵＩＤ。Ｃ／Ｄ比データＵＩＤは、Ｃ／Ｄ比のデータであるＣ／Ｄ比の描画情報（選択画像と関連づけられている位置情報）、Ｃ／Ｄ比の計測結果を格納している情報と関連付けられている。Ｃ／Ｄ比データＵＩＤから、それらの情報を取得することができる。Ｃ／Ｄ比データが存在しない場合は、データの存在を示さない値（例えば、ＮＵＬＬ等）が入力されている。なお、Ｃ／Ｄ比の描画情報は、選択画像上のある座標点の集合として表現される。
【００２３】
次にステップＳ２で、前回のＣ／Ｄ比が存在するかどうかを確認する。図４のデータを例にすると、データ１の患者ＩＤを"３"、左右眼を"Ｌ"、部位を"乳頭"、Ｃ／Ｄ比データＵＩＤが存在するものを検索条件とすると、記憶部４から当確するデータを検索する。検索結果の例を図５に示す。Ｃ／Ｄ比データが複数存在する場合は、最新のＣ／Ｄ比データを取得する。図５を例にすると、画像ＵＩＤ２５７を選択して、Ｓ３を実行する。この時、画像の選択を図５のデータをリスト表示し、オペレータに選択させてもよい。
【００２４】
ステップＳ３では、選択された画像を読み込む処理を行う。この読み込んだ画像データとそれに関連付けられたＣ／Ｄ比データを含んだデータをデータ２（第二眼科検査データ９Ｂ）とする。次にステップＳ４では、データ１の眼底画像とデータ２の眼底画像に対して位置合わせ処理を行う。位置合わせ処理は位置合わせ部の画像位置合わせの処理を行う。この位置合わせを行う処理は、まず眼底画像から乳頭を自動抽出して、差分を補正値として算出し、この補正値に基づいて乳頭の位置合わせを行う。特に乳頭の中心が最も良く合うように位置を合わせる処理がよい。すなわち、眼底画像から乳頭領域を抽出する乳頭抽出手段を有し、この抽出手段により抽出した乳頭領域を用いて視神経乳頭の中心が最も良く位置が合うように位置合わせを行う。
【００２５】
データ２のＣ／Ｄ比の描画情報のディスクラインの中心位置に対応するデータ２の画像位置が最も良く合うように処理してもよい。また、位置合わせは血管を抽出して位置を合わせてもよい。この場合も乳頭付近の血管位置が合うように位置合わせを行うのがよい。
【００２６】
なお、画角が異なる場合の位置合わせは拡大、縮小の処理も行って位置合わせ処理を行う。位置合わせ処理より、位置合わせ情報として、座標の移動量、回転の角度、拡大値が算出される。ステップＳ５は、ステップＳ４で算出された補正値（位置合わせ情報）によって位置合わせを行うかどうかを判定する。判定には、位置合わせ一致率（位置合わせ後の相関値）がある程度低い場合は、位置合わせ不一致として、位置合わせを行わないようにする。位置合わせ不一致の判定時の場合に、位置合わせを行わずにステップＳ７に処理を進めてもよいし、あるいは、検索結果を表示して、オペレータに前回のＣ／Ｄ比データを選択させてもよい。例えば、図５のデータをディスプレイに表示し、マウス操作でオペレータが選択する。選択された時は、再度ステップＳ３の処理に戻る。
【００２７】
位置合わせを行う場合は、ステップＳ６に処理が進む。ステップＳ４で求めた補正値と、データ２のＣ／Ｄ比データの描画の位置情報より、データ１の眼底画像上にデータ２のＣ／Ｄ比を描画処理し描画情報をディスプレイに表示する。ステップＳ６処理完了時の画面の例を図６に示す。図６はＣ／Ｄ比の入力を行うための画面例である。画面上では、ステップＳ１で選択された眼底画像４１を表示し、アノテーションリスト４２より、アノテーションとして描画する項目をオペレータが選択する。Ｃ／Ｄ比を描画するためには、アノテーションリスト４２よりＣ／Ｄ比をマウスのクリックなどで選択する。Ｃ／Ｄ比を計測する乳頭が４３である。ステップＳ１の処理終了後に図６を表示し、アノテーションリスト４２よりＣ／Ｄ比を選択した時に、ステップＳ２の処理を行ってもよい。
【００２８】
ステップＳ６処理後の画面例を図７に示す。データ２のディスクラインを５１で示す。データ２のカップラインを５２で示す。この時、これから描画するデータ１のＣ／Ｄ比の描画と区別ができるようにデータ２のＣ／Ｄ比の描画ラインを薄く表示する。データ２のラインを破線で表示してもよい。あるいは、データ２の線をデータ１のＣ／Ｄ比描画と色を変えて表示してもよい。この実施形態ではデータ２のＣ／Ｄ比描画のラインを破線で表示している。
【００２９】
次に、ステップＳ７でデータ１の画像に対してディスクラインをマウス操作等によって描画する。まず、データ１の画像上に描画されているデータ２のＣ／Ｄ比のディスクラインの描画をデータ１のディスクラインとして反映して描画する。ディスクラインを描画開始時に、データ２のディスクラインを反映するかどうかをオペレータに確認してもよい。
【００３０】
ここで、新規にディスクラインを描画する場合を説明する。ディスクラインの描画はオペレータがマウス操作をしながら、ディスプレイに表示されているデータ１の画像上に描画するポイントをクリックすることで指定し、ディスクラインを描画する。ディスクラインの外縁に複数ポイントを指定し、指定ポイントをスプライン曲線で滑らかなラインとなるように結ぶ。描画されたポイントを編集したい場合は、編集したいポイントをマウスで選択し、マウス移動の操作によってポイントを移動させたり、ポイントを追加、削除したりする。あるいは、ディスクラインの描画をディスクの外縁を自動認識して、認識した外縁に沿ってポイントを自動で指定しても良い。この場合の編集方法は上記に記載した方法と同じである。編集が完了したらディスクラインの描画完了をオペレータが選択しディスクラインを確定する。例えば、編集の終了はダブルクリックなどで終了させる。あるいは、画面上に編集終了のボタンをオペレータに操作させることで終了させてもよい。ディスクラインの描画でデータ２のディスクラインを反映した場合は、データ２の指定ポイント数と同じポイント数が描画される。ディスクラインを編集したい場合は上記に記載した方法で編集を行う。
【００３１】
一般的にはディスクの外縁の変化は少ないことが多いので、自動でディスクラインを反映し、ディスクラインの編集を行わずにステップＳ８の処理に移行してもよい。この場合はカップラインを描画した後に必要があればディスクラインの編集を行う。次にステップＳ８では、カップラインを描画する。カップラインの描画もディスクラインと同様に行う。ただし、緑内障の進行具合や治療具合を確認する経過観察の場合は、カップラインの変化が大きくなることが多いので、カップライン描画選択時には、前回のカップラインを反映して編集を行える状態になっているのが良い。あるいは、新規にカップラインの描画入力を行う状態になっているのがよい。カップラインの入力で、カップの外縁を自動認識して描画させる方法は、公知のカップ抽出の認識アルゴリズムでは、カップの外縁の認識が困難なため行わない。これは、自動認識の処理は通常、多くの処理時間がかかることを考慮すると、手動でオペレータが編集する方が、短時間で、かつ本件の手法により公知より正確なカップラインを描画できるからである。
【００３２】
カップラインの描画の画面例を図８に示す。６１はオペレータがマウス操作で指定したいポイントを指定操作するカーソルである。確認用拡大画面６２は、データ２のＣ／Ｄ比描画された眼科画像とその眼科画像上にＣ／Ｄ比を描画した画面である。データ１のＣ／Ｄ比描画のライン６３は、データ１の画像、すなわち眼科画像４１に対しＣ／Ｄ比を描画したラインである。この図８の例では、データ１のディスクライン入力処理を終え、次にカップラインの入力を行っている状態である。
【００３３】
図８から分かるように、データ２のＣ／Ｄ比描画線を同一画像上に表示しているため、データ１のＣ／Ｄ比の入力中にどの部分がどれくらい変化しているのが視覚的に把握できる。また、この変化の差より数値として実際にどれくらい離れているかも入力中に算出することもできる。また、カーソル６１の位置とデータ２のＣ／Ｄ比の描画情報より、カーソル６１の位置に対応するデータ２の画像を確認用拡大画面６２に表示している。この確認用拡大画面６２により、データ２で入力した時の眼科画像の状態も比較確認できる。図８の実施例の画面では、カーソル６１は、データ２のカップライン上の点を指しているので、確認用拡大画面６２は、カーソル６１の示すデータ２のＣ／Ｄ比の画面を拡大して表示する。データ２との変化が小さいところは、確認用拡大画面６２は大きく表示し、小さな変化も見易くしている。
【００３４】
なお、ステップＳ７のディスクライン描画処理で、データ２のディスクラインを反映させてポイントを編集する時のポイントの移動量を、ステップＳ８のカップライン描画処理で行うポイントの編集のポイントの移動量は異なるように設定することもできる。例えば、ディスクラインのポイント編集の移動量はカップラインのポイント編集の移動量の半分の移動量と設定する。この設定により、オペレータが操作するマウスの移動量が同じであっても、ポイントが移動する量はディスクラインの方が小さくなる。ディスクラインの変化とカップラインの変化が異なるため、この設定は有効である。
【００３５】
図９は、図８のカーソル６１を少し移動させた時の画面である。カーソル６１がデータ２のカップライン上から外れて位置している。データ２のカップライン５２とカーソル６１の距離に応じて確認用拡大画面６２の表示は変わる。確認用拡大画面６２は、データ２のカップラインとの距離が離れるほど、データ２のＣ／Ｄ比の描画画面である確認用拡大画面６２は、全体が見えるように縮小して表示される。ただし、ある距離以上離れると、最大縮小の表示は変わらないようにする。最大縮小表示は、前回のＣ／Ｄ比の描画情報が確認できるサイズ、すなわちディスクラインが乳頭のどの部分に描画されているかが分かる範囲で決定する。また、カップライン上にある場合の最大拡大表示は、現在表示しているＣ／Ｄ比描画のカーソル６１を中心として、２倍程度の拡大率で表示するのがよい。
【００３６】
ここでは、確認用拡大画面６２の表示をカーソル位置で変わることを例に上げたが、オペレータが操作部を操作して拡大表示の変更をしてもよい。例えば、操作部であるキーボードの↑、↓キーを拡大、縮小に割り当てておき、キーが押されたら、その押された回数に応じて確認用拡大画面６２の表示の拡大率を変更してもよい。例えば、５％ごとのステップを持ち１００％まで表示するのもよい。
【００３７】
また、ステップＳ５において位置合わせを行わない場合は、データ２のＣ／Ｄ比の描画は全体が見える縮小画面を表示させてもよい。この場合は変化量を視覚的に確認することはできないが、ディスクラインやカップラインを乳頭のどの位置に描画しているかを確認しながら、Ｃ／Ｄ比の入力を行うことができる。
【００３８】
カップラインの描画の完了をオペレータが選択すると、ステップＳ９に処理が進む。ステップＳ９では、描画したディスクライン、カップラインより、Ｃ／Ｄ比を算出する。ステップＳ１０は、ステップＳ９で処理されたＣ／Ｄ比の算出結果をディスプレイに表示する。ステップＳ１１は、オペレータにＣ／Ｄ比の描画したポイント点を変更するかどうかを判定させる。編集する場合は、ディスクラインの編集はステップＳ７１に処理が進み、カップラインの場合はステップＳ８１に処理が進む。処理内容はステップＳ７、Ｓ８と同様であるが、描画上のポイントを編集する処理から始まる。また、ポイントの編集が完了すると、ステップＳ９の処理になり、Ｃ／Ｄ比を算出し、結果をディスプレイに表示する。ポイントの編集が終了すると、ステップＳ１２に処理が進む。ステップＳ１２は、選択画像とＣ／Ｄ比の描画情報、および計測結果を対応付けて記録部に記憶する。以上でフローチャートの説明を終える。
【００３９】
フローチャートで説明したデータ１、データ２の記録情報を使用し、データ１、データ２の眼科画像とＣ／Ｄ比の描画情報を並べて比較表示し、視覚的な違いと数値的な違いを同時に見る画面を設けてもよい。また、データ１とデータ２を選択した時で、既に両方にＣ／Ｄ比の描画情報がある場合は、データ１の眼底画像上にデータ１とデータ２のＣ／Ｄ比の描画情報を描画して表示する。
【００４０】
Ｃ／Ｄ比描画の比較画面の例を図１０に示す。この画像データを残したいときは、この画面の画像とＣ／Ｄ比の数値、変化値をこの検査データに関連付け記憶部に記憶する。また、検査の結果をレポートとして出力したい場合は、比較画面と一緒にＣ／Ｄ比の数値と変化値を出力する。このレポートを管理することで、数値的な変化と視覚的な変化を経過観察で見ることができる。なお、通常の眼科情報処理システムが持つ画像や検査の比較画面で表示しても良い。また、さらに詳しく情報を残したい時は、所見のアノテーションを付加して記憶することもできる。
【００４１】
なお、本発明に係わるプログラムは、眼科画像を記憶するコンピュータに次の処理を実行させる。（１）選択された第一眼科検査データの前回のＣ／Ｄ比の描画情報がある画像を検索し、検索結果より第二眼科検査データを読み込み、画像の位置合わせ処理より、第一の眼科検査データの画像上に第二眼科検査データのＣ／Ｄ比の描画情報を表示させる。（２）第二眼科検査データのＣ／Ｄ比描画情報を反映し、Ｃ／Ｄ比の描画情報のポイントをオペレータが操作部の操作で編集する。（３）Ｃ／Ｄ比を算出する。（４）Ｃ／Ｄ比の描画情報と算出結果を記憶する。（５）第一眼科検査データのＣ／Ｄ比の描画情報と第二眼科検査データのＣ／Ｄ比描画情報を比較画面で表示する。
【００４２】
また、本発明に係わるプログラムは、上記実施例で説明した任意の処理を上記コンピュータに実行させるように構成することが可能である。上記実施形態のプログラム２５は、本発明に係わるプログラムの一例である。本発明に係わるプログラムによれば、前回のＣ／Ｄ比の描画情報を選択された眼科画像上に表示することができるので、Ｃ／Ｄ比の描画情報を入力する際に、従来のようなどこに前回ポイントされたかを確認する手間が省けることができる。それにより、Ｃ／Ｄ比の描画上のためのポイントの指定する入力作業の効率化を図ることができる。さらに、本発明に係わるプログラムによれば、Ｃ／Ｄ比の描画情報を数値的な変化だけでなく視覚的な変化も記録できるので、経過観察の効率化を図ることができる。
【００４３】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００４４】
１：操作部、２：表示部、３：制御部、４：記憶部、５：眼科画像、６：描画情報、７：識別情報、８：データ入力部、９Ａ：第一眼科検査データ、９Ｂ：第二眼科検査データ、１０：位置合わせ部、１１：画像位置合わせ、１２：Ｃ／Ｄ比描画位置合わせ、１３：Ｃ／Ｄ比入力部、１４：Ｃ／Ｄ比描画入力部、１５：Ｃ／Ｄ比算出部
【図１】
0006001150.tif 000002
【図２】
0006001150.tif 000003
【図３】
0006001150.tif 000004
【図４】
0006001150.tif 000005
【図５】
0006001150.tif 000006
【図６】
0006001150.tif 000007
【図７】
0006001150.tif 000008
【図８】
0006001150.tif 000009
【図９】
0006001150.tif 000010
【図１０】
0006001150.tif 000011
【図１１】
0006001150.tif 000012